【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
所定の部分への電力の供給を停止する第１の電力状態と、前記所定の部分へ電力を供給する第２の電力状態とを少なくとも含む複数の電力状態を有する情報処理装置であって、
人検知手段と、
前記人検知手段の感度を設定する設定手段と、
前記人検知手段の出力に基づいて、前記人検知手段と人との間の距離に対応する第１の情報を出力し、前記人検知手段の出力に基づいて、人の移動量に対応する第２の情報を出力する制御手段と、
前記設定手段によって第１の感度が設定されると、前記第１の情報及び前記第２の情報に基づいて、前記情報処理装置の電力状態を前記第１の電力状態から前記第２の電力状態へ移行し、前記設定手段によって第２の感度が設定されると、前記第１の情報に基づいて、前記情報処理装置の電力状態を前記第１の電力状態から前記第２の電力状態へ移行する電力制御手段と
を備えることを特徴とする情報処理装置。
【請求項２】
前記電力制御手段は、前記設定手段によって前記第１の感度が設定されると、前記第１の情報が第１の所定値より大きく且つ前記第２の情報が第２の所定値よりも大きい場合、前記情報処理装置の電力状態を前記第１の電力状態から前記第２の電力状態へ移行し、前記設定手段によって前記第２の感度が設定されると、前記第１の情報が前記第１の所定値より大きい場合は、前記情報処理装置の電力状態を前記第１の電力状態から前記第２の電力状態へ移行しない、ことを特徴とする請求項１に記載の情報処理装置。
【請求項３】
前記人検知手段の前記第１の感度は、前記人検知手段の前記第２の感度よりも高いことを特徴とする請求項２に記載の情報処理装置。
【請求項４】
前記設定手段は、ユーザ入力に従って前記人検知手段の前記感度を変更することを特徴とする請求項２又は３に記載の情報処理装置。
【請求項５】
前記人検知手段は、超音波センサであることを特徴とする請求項２乃至４の何れか１項に記載の情報処理装置。
【請求項６】
前記電力制御手段は、前記第１の情報が前記第１の所定値より小さい第３の所定値よりも小さい場合には、前記情報処理装置の電力状態を前記第１の電力状態から前記第２の電力状態へ移行することを特徴とする請求項２乃至５の何れか１項に記載の情報処理装置。
【請求項７】
前記電力制御手段は、前記第１の情報が前記第１の所定値より小さい前記第３の所定値よりも小さい場合には、前記人検知手段の前記感度に関わらず、前記情報処理装置の電力状態を前記第１の電力状態から前記第２の電力状態へ移行することを特徴とする請求項６に記載の情報処理装置。
【請求項８】
前記電力制御手段は、前記第２の情報が前記第２の所定値よりも小さい場合であっても、前記第１の情報が前記第１の所定値より小さい前記第３の所定値よりも小さい場合には、前記情報処理装置の電力状態を前記第１の電力状態から前記第２の電力状態へ移行することを特徴とする請求項６又は７に記載の情報処理装置。
【請求項９】
前記第２の所定値は前記第１の情報に従って変更されることを特徴とする請求項２乃至８の何れか１項に記載の情報処理装置。
【請求項１０】
前記第１の情報が増加するのに従って、前記第２の所定値が増加することを特徴とする請求項９に記載の情報処理装置。
【請求項１１】
記録媒体に画像を印刷する印刷手段をさらに備えることを特徴とする請求項１乃至１０の何れか１項に記載の情報処理装置。
【請求項１２】
原稿の画像を読み取る読取手段さらに備えることを特徴とする請求項１乃至１１の何れか１項に記載の情報処理装置。
【請求項１３】
前記人検知手段の前記感度を設定する画面を表示する表示手段をさらに備えることを特徴とする請求項１乃至１２の何れか１項に記載の情報処理装置。
【請求項１４】
前記第１の情報は、前記人検知手段と人との間の前記距離を示すことを特徴とする請求項１乃至１３の何れか１項に記載の情報処理装置。
【請求項１５】
前記第２の情報は、人の前記移動量を示すことを特徴とする請求項１乃至１４の何れか１項に記載の情報処理装置。
【請求項１６】
前記制御手段は、所定の間隔で出力される複数の前記第１の情報に基づき、前記第２の情報を出力することを特徴とする請求項１乃至１５の何れか１項に記載の情報処理装置。
【請求項１７】
前記電力制御手段は、前記第２の情報が第２の所定値よりも大きい場合には、前記情報処理装置の電力状態を前記第１の電力状態から前記第２の電力状態へ移行しないことを特徴とする請求項１乃至１６の何れか１項に記載の情報処理装置。
【請求項１８】
所定の部分への電力の供給を停止する第１の電力状態と、前記所定の部分へ電力を供給する第２の電力状態とを少なくとも含む複数の電力状態を有し、人検知手段を備える情報処理装置の制御方法であって、
設定手段が、前記人検知手段の感度を設定する設定工程と、
制御手段hが、前記人検知手段の出力に基づいて、前記人検知手段と人との間の距離に対応する第１の情報を出力し、前記人検知手段の出力に基づいて、人の移動量に対応する第２の情報を出力する制御工程と、
電力制御手段が、前記設定工程で第１の感度が設定されると、前記第１の情報及び前記第２の情報に基づいて、前記情報処理装置の電力状態を前記第１の電力状態から前記第２の電力状態へ移行し、前記設定工程で第２の感度が設定されると、前記第１の情報に基づいて、前記情報処理装置の電力状態を前記第１の電力状態から前記第２の電力状態へ移行する電力制御工程と
を含むことを特徴とする情報処理装置の制御方法。
【請求項１９】
前記電力制御工程は、前記設定工程で前記第１の感度が設定されると、前記第１の情報が第１の所定値より大きく且つ前記第２の情報が第２の所定値よりも大きい場合、前記情報処理装置の電力状態を前記第１の電力状態から前記第２の電力状態へ移行し、前記設定工程で前記第２の感度が設定されると、前記第１の情報が前記第１の所定値より大きい場合は、前記情報処理装置の電力状態を前記第１の電力状態から前記第２の電力状態へ移行しない、ことを特徴とする請求項１８に記載の情報処理装置の制御方法。
【請求項２０】
前記第１の情報が前記第１の所定値より小さい第３の所定値よりも小さい場合には、前記人検知手段の前記感度に関わらず、前記情報処理装置の電力状態を前記第１の電力状態から前記第２の電力状態へ移行する工程をさらに含むことを特徴とする請求項１９に記載の情報処理装置の制御方法。
【請求項２１】
所定の間隔で出力される複数の前記第１の情報に基づき、前記第２の情報を出力する工程をさらに含むことを特徴とする請求項１９又は２０の何れか１項に記載の情報処理装置の制御方法。
【請求項２２】
前記第２の情報が第２の所定値よりも大きい場合には、前記情報処理装置の電力状態を前記第１の電力状態から前記第２の電力状態へ移行しないことを特徴とする請求項１９乃至２１の何れか１項に記載の情報処理装置の制御方法。
【手続補正２】
【補正対象書類名】明細書
【補正対象項目名】発明の名称
【補正方法】変更
【補正の内容】
【発明の名称】情報処理装置、及びその制御方法
【手続補正３】
【補正対象書類名】明細書
【補正対象項目名】０００１
【補正方法】変更
【補正の内容】
【０００１】
本発明は、接近する人を検知するセンサを備える情報処理装置、及びその制御方法に関する。
【手続補正４】
【補正対象書類名】明細書
【補正対象項目名】０００６
【補正方法】変更
【補正の内容】
【０００６】
本発明は、所定の部分への電力の供給を停止する第１の電力状態と、前記所定の部分へ電力を供給する第２の電力状態とを少なくとも含む複数の電力状態を有する情報処理装置であって、人検知手段と、前記人検知手段の感度を設定する設定手段と、前記人検知手段の出力に基づいて、前記人検知手段と人との間の距離に対応する第１の情報を出力し、前記人検知手段の出力に基づいて、人の移動量に対応する第２の情報を出力する制御手段と、前記設定手段によって第１の感度が設定されると、前記第１の情報及び前記第２の情報に基づいて、前記情報処理装置の電力状態を前記第１の電力状態から前記第２の電力状態へ移行し、前記設定手段によって第２の感度が設定されると、前記第１の情報に基づいて、前記情報処理装置の電力状態を前記第１の電力状態から前記第２の電力状態へ移行する電力制御手段とを備えることを特徴とする置。